(57)【特許請求の範囲】
【請求項１】
圧縮機と、
第１乃至第４弁ポートを備え、前記圧縮機が第１弁ポートと第３弁ポートとに接続された四方弁と、
入口が四方弁の第２弁ポートに接続された凝縮器と、
入口が凝縮器の出口に接続されたスロットル機構と、
四方弁の第４弁ポートとスロットル機構の出口との間に接続された蒸発器と、
蒸発器に接続し且つ四方弁の第４弁ポートとスロットル機構の出口との間に接続された冷媒切り替えユニットと、
を備え、
蒸発器は、
一端に第１冷媒ポートが設けられた第１ヘッダーと、
一端に第２冷媒ポートが設けられた第２ヘッダーと、
第１ヘッダーと第２ヘッダーとを連通するように第１ヘッダーと第２ヘッダーとの間に接続された伝熱管と、
それぞれ隣り合う伝熱管の間に設けられたフィンと、
第１端が前記第１ヘッダー及び第２ヘッダーのうち、一つのヘッダーに接続されて前記一つのヘッダーの内部と連通される除霜管であって、前記第１端が前記一つのヘッダーに接続する位置は、前記一つのヘッダーの前記一端から所定距離を離れている除霜管と、
を備え、
冷媒切り替えユニットは、冷凍システムが通常運転モードである時、冷媒が四方弁からスロットル機構を介して第１ヘッダー内に入り、且つ第２ヘッダーから出て四方弁に戻るようにするとともに、冷凍システムが除霜運転モードである時、冷媒が四方弁から除霜管を介して前記一つのヘッダー内に入り、且つ蒸発器のもう一つのヘッダーから出てスロットル機構を介して四方弁に戻るようにすることを特徴とする冷凍システム。
【請求項２】
前記除霜管の第１端は、前記一つのヘッダーの中央部分に接続されていることを特徴とする請求項１に記載の冷凍システム。
【請求項３】
前記除霜管の軸線と伝熱管の軸線との間の挟み角度は、４５〜３１５°であることを特徴とする請求項１に記載の冷凍システム。
【請求項４】
前記所定距離は、１００ミリメートより大きいことを特徴とする請求項１に記載の冷凍システム。
【請求項５】
前記一つのヘッダー内に開放端と閉塞端とを備える冷媒案内管が設けられ、
前記冷媒案内管には複数の開口が形成され、
前記冷媒案内管の開口端が前記一つのヘッダーの冷媒ポートから突出されていることを特徴とする請求項１に記載の冷凍システム。
【請求項６】
前記冷媒切り替えユニットは、第１乃至第４弁を含み、
第１弁は、四方弁の第４弁ポートと蒸発器の第２ヘッダーの第２冷媒ポートとの間に接続され、
第２弁の一方側は、第１弁と第２ヘッダーの冷媒ポートとの間に接続され、
第２弁の他方側は、スロットル機構に接続され、
第３弁の一方側は、第２弁の他方側とスロットル機構との間に接続され、
第３弁の他方側は、蒸発器の第１ヘッダーの第１冷媒ポートに接続され、
第４弁は、四方弁の第４弁ポートと除霜管の第２端との間に接続されていることを特徴とする請求項１に記載の冷凍システム。
【請求項７】
前記除霜管の第１端は、第１ヘッダー又は第２ヘッダーに接続されていることを特徴とする請求項６に記載の冷凍システム。
【請求項８】
前記除霜管の第１端は、第２ヘッダーに接続され、
前記冷媒切り替えユニットは、第１弁と第４弁とを含み、
第１弁は、四方弁の第４弁ポートと蒸発器の第２ヘッダーの第２冷媒ポートとの間に接続され、
第４弁は、四方弁の第４弁ポートと除霜管の第２端との間に接続されていることを特徴とする請求項１に記載の冷凍システム。
【請求項９】
前記除霜管の第１端は、第２ヘッダーに接続され、
前記除霜管の第２端は、四方弁の第４弁ポートに接続され、
冷媒切り替えユニットは、第１弁を含み、
前記第１弁は、四方弁の第４弁ポートと蒸発器の第２ヘッダーの第２冷媒ポートとの間に接続されていることを特徴とする請求項１に記載の冷凍システム。
【発明の詳細な説明】
【技術分野】
【０００１】
本発明は、冷凍技術分野に関し、特に、蒸発器を備えた冷凍システムに関する。
【背景技術】
【０００２】
冷凍システム、例えば、空気調和機の冷凍システムは、冬に運転する時、環境の温度が低いと、蒸発器の蒸発温度が零度より低くなるので、定時に除霜を行なう必要がある。伝統的な冷凍システムは、全逆サイクル除霜を採用し、即ち、凝縮器を蒸発器にし、蒸発器を凝縮器にしている。
【発明の概要】
【発明が解決しようとする課題】
【０００３】
伝統的な冷凍システムは、除霜をする時、室内環境の温度を下げ、快適さの低下を引き起こす。一方、除霜は、室内環境の暖房を中断し、ユニットの能率を低下させてしまう。
【０００４】
その他、蒸発器の入口と出口ヘッダーとに、通常、冷媒案内管が設けられ、除霜過程において、冷媒の流動抵抗が非常に大きく、冷媒が急速且つ多量に蒸発器を通過することができないので、除霜の速度が遅くなる。高温度で摺動する冷媒（例えばＲ４０７Ｃ）を採用する冷凍システムにおいて、着霜する位置が、通常、熱交換器の冷媒入口に近いので、出口ヘッダーの出口位置から気相の冷媒を導入する逆サイクル除霜方式においては、除霜を急速に行うことができないため、除霜の時間が長くなり、ユニットの運転効率が低くなる。
【０００５】
本発明は、少なくとも従来技術における技術問題の一つを解決することを旨とする。
【課題を解決するための手段】
【０００６】
したがって、本発明の目的は、除霜の時間が低減され、除霜の速度が速くなり、且つ運転効率が高くなる蒸発器を提供し、該蒸発器を備えた室内環境の温度の変動を低減することができる冷凍システムを提供することにある。
【０００８】
本発明の冷凍システムは、圧縮機と、第１乃至第４弁ポートを備え、前記圧縮機が第１弁ポートと第３弁ポートとに接続された四方弁と、入口が四方弁の第２弁ポートに接続された凝縮器と、入口が凝縮器の出口に接続されたスロットル機構と、四方弁の第４弁ポートとスロットル機構の出口との間に接続された蒸発器と、蒸発器に接続し且つ四方弁の第４弁ポートとスロットル機構の出口との間に接続された冷媒切り替えユニットと、を備え、蒸発器は、一端に第１冷媒ポートが設けられた第１ヘッダーと、一端に第２冷媒ポートが設けられた第２ヘッダーと、第１ヘッダーと第２ヘッダーとを連通するように第１ヘッダーと第２ヘッダーとの間に接続された伝熱管と、それぞれ隣り合う伝熱管の間に設けられたフィンと、第１端が前記第１ヘッダー及び第２ヘッダーのうち、一つのヘッダーに接続されて前記一つのヘッダーの内部と連通される除霜管であって、前記第１端が前記一つのヘッダーに接続する位置は、前記一つのヘッダーの前記一端から所定距離を離れている除霜管と、を備え、冷媒切り替えユニットは、冷凍システムが通常運転モードである時、冷媒が四方弁からスロットル機構を介して第１ヘッダー内に入り、且つ第２ヘッダーから出て四方弁に戻るようにするとともに、冷凍システムが除霜運転モードである時、冷媒が四方弁から除霜管を介して前記一つのヘッダー内に入り、且つ蒸発器のもう一つのヘッダーから出てスロットル機構を介して四方弁に戻るようにする。
【０００９】
本発明の実施例の冷凍システムの蒸発器によれば、第１ヘッダー又は第２ヘッダーに除霜管が接続されているので、蒸発器を除霜する必要がある時、冷媒が除霜管から第１ヘッダー又は第２ヘッダーに入ることにより、除霜の速度を高め、除霜の時間を低減し、冷凍システムの能率を高めることができる。
【００１０】
そのほか、本発明の前記実施例による冷凍システムは、以下のような付加的技術特徴を備えることができる。
【００１１】
前記蒸発器において、前記除霜管の第１端は、前記一つのヘッダーの中央部分に接続されている。
【００１２】
前記蒸発器において、前記除霜管の軸線と伝熱管の軸線との間の挟み角度は、４５〜３１５°である。
【００１３】
前記蒸発器において、前記所定距離は、１００ミリメートより大きい。
【００１４】
前記蒸発器において、前記一つのヘッダー内に開放端と閉塞端とを備える冷媒案内管が設けられ、前記冷媒案内管には複数の開口が形成され、前記冷媒案内管の開口端が前記一つのヘッダーの冷媒ポートから突出されている。
【００１６】
前記冷媒切り替えユニットは、第１乃至第４弁を含み、前記第１弁は、四方弁の第４弁ポートと蒸発器の第２ヘッダーの第２冷媒ポートとの間に接続され、第２弁の一方側は、第１弁と第２ヘッダーの冷媒ポートとの間に接続され、第２弁の他方側は、スロットル機構に接続され、第３弁の一方側は、第２弁の他方側とスロットル機構との間に接続され、第３弁の他方側は、蒸発器の第１ヘッダーの第１冷媒ポートに接続され、第４弁は、四方弁の第４弁ポートと除霜管の第２端との間に接続されている。
【００１７】
前記除霜管の第１端は、第１ヘッダー又は第２ヘッダーに接続されている。
【００１８】
前記除霜管の第１端は、第２ヘッダーに接続され、前記冷媒切り替えユニットは、第１弁と第４弁とを含み、第１弁は、四方弁の第４弁ポートと蒸発器の第２ヘッダーの第２冷媒ポートとの間に接続され、第４弁は、四方弁の第４弁ポートと除霜管の第２端との間に接続されている。
【００１９】
前記除霜管の第１端は、第２ヘッダーに接続され、前記除霜管の第２端は、四方弁の第４弁ポートに接続され、冷媒切り替えユニットは、第１弁を含み、前記第１弁は、四方弁の第４弁ポートと蒸発器の第２ヘッダーの第２冷媒ポートとの間に接続されている。
【００２０】
本発明の付加的点及び利点は、一部が次の記述において示され、一部が次の記述から明らかになり、或いは本発明の実施によって理解される。
【図面の簡単な説明】
【００２１】
本発明の前記及び／又は付加点並びに利点は、下記の添付図面に基づく実施例の記述から、明らかになり、理解しやすくなる。
【図１】本発明の一実施例による蒸発器の平面概略図である。
【図２】図１に示す蒸発器の側面概略図である。
【図３】本発明の他の実施例による蒸発器の平面概略図である。
【図４】図３に示す蒸発器の側面概略図である。
【図５】本発明の更に他の実施例による蒸発器の平面概略図である。
【図６】図５に示す蒸発器の側面概略図である。
【図７】本発明の一実施例による冷凍システムの概略図である。
【図８】本発明の他の実施例による冷凍システムの概略図である。
【図９】本発明の更に他の実施例による冷凍システムの概略図である。
【図１０】本発明の更に他の実施例による冷凍システムの概略図である。
【発明を実施するための形態】
【００２２】
以下、本発明の実施例について詳細に説明する。前記実施例の例示は、図面に示され、そのうち、同一又は類似の符号は、同一又は類似の部材、或いは同一又は類似の機能を有する部材を示している。以下に図面を参照して説明される実施例は、例示的であり、単に、本発明を解釈するためのものであって、本発明を限定するものとして理解してはならない。
【００２３】
本発明の記述において、「縦方向」、「横方向」、「上」、「下」、「前」、「後」、「左」、「右」、「鉛直」、「水平」、「頂上」、「底部」等の用語によって表される方向又は位置関係は、図面に示す方位又は位置関係であり、本発明の記述の便宜のためだけであり、本発明が特定の方位で構成し操作されることを要求するものではないため、本発明を限定するものとして理解してはならない。
【００２４】
なお、本発明の記述において、特に規定及び限定がなければ、「取り付ける」、「連結」、「接続」の用語は、広い範囲で理解すべきであり、例えば、機械的接続又は電気的接続であってもよく、二つの部材の内部の連通であってもよい。また、直接接続であってもよく、中間媒体を介する間接接続であってもよい。当業者にとって、具体的な状況によって前記用語の具体的な意味が理解できるものである。その他、「第１」、「第２」の用語は、単に目的を記述するためのものであって、相対的な重要性を指示又は暗示するものとして理解してはならない。
【００２５】
以下、図面を参照しながら本発明の実施例による蒸発器５００を説明する。
【００２６】
本発明の実施例による蒸発器５００は、第１ヘッダー５０１と、第２ヘッダー５０２と、伝熱管５０３と、フィン５０４と、除霜管５０５とを含む。
【００２７】
第１ヘッダー５０１の一端には、第１冷媒ポート５０１０が設けられ、第２ヘッダー５０２の一端には、第２冷媒ポート５０２０が設けられている。
【００２８】
便宜のため、以下の記述において、第１ヘッダー５０１を蒸発器５００の入口ヘッダーとし、第２ヘッダー５０２を蒸発器５００の出口ヘッダーとし、第１冷媒ポート５０１０を蒸発器５００の冷媒入口とし、第２冷媒ポート５０２０を蒸発器５００の冷媒出口とし、且つ、第１冷媒ポート５０１０及び第２冷媒ポート５０２０を冷媒入口管及び冷媒出口管とする。
【００２９】
伝熱管５０３、例えば、偏平チューブは、入口ヘッダー５０１と出口ヘッダー５０２とを連通するように、それぞれ入口ヘッダー５０１と出口ヘッダー５０２との間に接続されている。
【００３０】
フィン５０４は、それぞれ隣り合う伝熱管５０３の間に設けられている。除霜管５０５の一端は、入口ヘッダー５０１及び出口ヘッダー５０２のうち、一つのヘッダーに接続され、前記一つのヘッダーの内部に連通されるようになっている。そのうち、除霜管５０５の第１端が前記一つのヘッダーに連結する位置は、前記一つのヘッダーの冷媒ポートが形成された前記一端から所定距離だけ離れている。
【００３１】
以下、図１及び図２を参照しながら、本発明の一実施例による蒸発器５００を説明する。図１及び図２に示すように、除霜管５０５は、入口ヘッダー５０１に連結し、更に具体的には、除霜管５０５の一端が入口ヘッダー５０１の略中央部分に接続されている。除霜管５０５の軸線と伝熱管５０３の軸線（即ち、伝熱管の長手方向）とは、略９０度の角度をなす。
【００３２】
図３及び図４は、本発明の他の実施例による蒸発器５００を示す。そのうち、除霜管５０５の一端は、入口ヘッダー５０１の略中央部分に連結されている。除霜管５０５の軸線と伝熱管５０３の軸線との間の挟み角度αは、４５〜３１５°の範囲にある。
【００３３】
図５及び図６は、本発明の更に他の実施例による蒸発器５００を示す。そのうち、入口ヘッダー５０１には、二つの除霜管５０５が接続され、二つの除霜管５０５が入口ヘッダー５０１の長手方向に沿って離間しており、そのうち左側の除霜管５０５の入口ヘッダー５０１の左端からの距離及び右側の除霜管５０５の入口ヘッダー５０１の右端からの距離は、共に１００ミリメートルより大きいので、更に除霜の効果を高めることができる。理解されたいことは、除霜管５０５の数は、これに限定されるものではなく、具体的な応用に応じて如何なる適切な数の除霜管５０５を設けることが可能である。
【００３４】
図５及び図６の示す実施例において、入口ヘッダー５０１内には、入口冷媒案内管５０６が挿入され、入口冷媒案内管５０６は、開放端と閉塞端とを備え、且つ長手方向に沿って複数の開口、例えば、複数の非円形の狭い溝が形成されている。冷媒案内管５０６の開口端は、入口ヘッダー５０１の冷媒入口から突出され、更に具体的には、冷媒案内管５０６の開口端は、入口管５０１０に連結されている。
【００３５】
選択的には、図６に示すように、出口ヘッダー５０２内にも出口冷媒案内管５０７が挿入されていてもよく、出口冷媒案内管５０７は、開放端と閉塞端とを備え、且つ長手方向に沿って複数の開口、例えば、複数の非円形の狭い溝が形成されている。冷媒案内管５０７の開口端は、出口ヘッダー５０２の冷媒出口から突出され、更に具体的には、冷媒案内管５０７の開口端は、出口管５０２０に連結されている。
【００３６】
本発明のいくつかの実施例において、除霜管５０５は、出口ヘッダー５０２に連結されていてもよい。同じ理由で、除霜管５０５と出口ヘッダー５０２との接続位置は、出口ヘッダー５０２の一端から離れ、例えば、出口ヘッダー５０２の略中央部分にある。
【００３７】
本発明の実施例による蒸発器５００は、入口ヘッダー５０１又は出口ヘッダー５０２に除霜管５０５が接続されているため、蒸発器５００を除霜する必要がある時、冷媒が除霜管５０５から入口ヘッダー５０１又は出口ヘッダー５０２に入ることにより、除霜の速度を高め、除霜の時間を低減し、冷凍システムの能率を高めることができる。
【００３８】
以下、図７を参照しながら本発明の実施例による冷凍システムを説明する。
【００３９】
本発明の実施例による冷凍システム（例えばヒートポンプシステム）は、圧縮機１００と、四方弁２００と、凝縮器３００と、スロットル機構４００と、蒸発器５００と、冷媒切り替えユニットとを含む。
【００４０】
更に具体的には、四方弁２００は、第１乃至第４弁ポート（図７において、それぞれ左側弁ポート、上側弁ポート、右側弁ポートと下側弁ポートである）を備え、そのうち、圧縮機１００が四方弁２００の第１弁ポート及び第３弁ポートに接続されている。凝縮器３００の入口は、四方弁２００の第２弁ポートに接続されている。スロットル機構４００（例えば、膨張弁）の入口は、凝縮器３００の出口に接続されている。蒸発器５００は、四方弁２００の第４弁ポートとスロットル機構４００の出口との間に接続されている。
【００４１】
冷媒切り替えユニットは、蒸発器５００に連結し、且つ四方弁２００の第４弁ポートとスロットル機構４００の出口との間に接続されて、冷凍システムが通常運転モードである時、冷媒が四方弁２００からスロットル機構４００を介して入口ヘッダー５０１内に入り、且つ出口ヘッダー５０２から出て四方弁２００に戻るようにするとともに、冷凍システムが除霜運転モードである時、冷媒が四方弁２００から除霜管５０５を介して前記一つのヘッダー内に入り、且つ蒸発器５００のもう一つのヘッダーから出てスロットル機構４００を介して四方弁２００に戻るようにするためのものである。
【００４２】
例えば、冷凍システムが暖房モードにある時、室内ユニットを凝縮器３００にし、ファンＦをモーターＭによって駆動することにより、凝縮器３００が加熱した熱風を室内に吹き付けて暖房を行なう。
【００４３】
図７に示すように、冷媒切り替えユニットは、第１弁Ａ、第２弁Ｂ、第３弁Ｃ、第４弁Ｄを含む。第１弁Ａは、四方弁２００の第４弁ポートと蒸発器５００の出口ヘッダー５０２の冷媒出口５０２０との間に接続され、第２弁Ｂの一方側は、第１弁Ａと出口ヘッダー５０２の冷媒出口５０２０との間に接続され、第２弁Ｂの他方側は、スロットル機構４００に接続されている。第３弁Ｃの一方側は、第２弁Ｂの他方側とスロットル機構４００との間に接続され、第３弁Ｃの他方側は、蒸発器５００の入口ヘッダー５０１の冷媒入口５０１０に接続されている。除霜管５０５の第１端は、入口ヘッダー５０１の略中央部分に連結され、第４弁Ｄは、四方弁２００の第４弁ポートと除霜管５０５の第２端との間に接続されている。
【００４４】
以下、図７を参照しながら、本発明の実施例による冷凍システムの通常運転モード状態と除霜運転モード状態とを説明する。
【００４５】
図７に示すように、除霜管５０５の第１端は、入口ヘッダー５０１に連結され、冷凍システムが通常運転モードにある時、第１弁Ａと第３弁Ｃとが開かれ、且つ第２弁Ｂと第４弁Ｄとが閉じられることにより、冷媒は、圧縮機１００から四方弁２００の第３弁ポートを介して四方弁２００に入った後、四方弁２００の第２弁ポートを介して実線の矢印Ｓに沿って凝縮器３００内に入り、次に、実線の矢印Ｓに沿ってスロットル機構４００に入る。第２弁Ｂが閉じられ、第３弁Ｃが開かれているので、冷媒は、スロットル機構４００から蒸発器５００の入口ヘッダー５０１の冷媒入口５０１０に入って入口ヘッダー５０１内に入る。例えば、入口冷媒案内管５０６を介して入口ヘッダー５０１内に分配することができるので、気液分離を解消することができる。冷媒は、入口ヘッダー５０１から各伝熱管５０３に入って、外部と熱交換をした後、蒸発器５００の出口ヘッダー５０２内に入る。第２弁Ｂと第４弁Ｄとが閉じられ、且つ第１弁Ａが開かれているので、出口ヘッダー５０２（例えば冷媒出口管５０２０）から出た冷媒は、第１弁Ａと四方弁２００の第４弁ポートを介して四方弁２００に戻り、四方弁２００の第１弁ポートから圧縮機１００に入る。これによって、冷媒の循環を実現できる。
【００４６】
除霜が必要である時、冷凍システムは、除霜運転モードを実施する。その時、第１弁Ａと第３弁Ｃとが閉じられ、第２弁Ｂと第４弁Ｄとが開かれて、冷媒は、四方弁２００の第４弁ポートから点線の矢印Ｎに沿って第４弁Ｄを介して除霜管５０５に入り、冷媒は、除霜管５０５から蒸発器５００の入口ヘッダー５０１に入り、例えば、入口ヘッダー５０１の略中央部分から入口ヘッダー５０１内に入ることにより、蒸発器５００に対して除霜を行ない、また、除霜の速度が速くなる。
【００４７】
冷媒は、伝熱管５０３に沿って出口ヘッダー５０２に入り、その後、冷媒出口管５０２０から出る。第１弁Ａと第３弁Ｃとが閉じられているので、出口ヘッダー５０２から出た冷媒は、スロットル機構４００、凝縮器３００及び四方弁２００の第２弁ポートを介して四方弁２００に戻るしかない。
【００４８】
従って、本発明の実施例による冷凍システムは、除霜が必要である時、気体状の冷媒が除霜管５０５から入口ヘッダー５０１に入って、入口冷媒案内管５０６を避けて、流動抵抗が大きく低減され、冷媒の流量が増え、除霜の速度を高めることができる。一方、霜が入口ヘッダー５０１の冷媒入口５０１０の付近に多く積もる（例えばＲ４０７Ｃ）冷凍システムに対して、高温且つ気体状の冷媒が入口ヘッダー５０１から入るので、直接に霜の融解を早めることができ、また更に除霜の解けた水の蒸発に貢献する。従って、除霜管５０５により、冷凍システムの除霜過程を非常に早くし、除霜の時間を低減し、また除霜の効果も強めることができ、室内温度の変動が低減して、快適さが高まり、また、冷媒が蒸発器５００内で逆循環する必要がない。
【００４９】
以下、図８を参照しながら、本発明の他の実施例による冷凍システムを説明する。
【００５０】
図８に示す実施例において、除霜管５０５の第１端は、出口ヘッダー５０２に接続されている。冷凍システムが通常運転モードである時、第１弁Ａと第３弁Ｃとが開かれ、且つ第２弁Ｂと第４弁Ｄとが閉じられている。冷凍システムが除霜運転モードである時、第１弁Ａと第２弁Ｂとが閉じられ、且つ第３弁Ｃと第４弁Ｄとが開かれている。言い換えれば、この場合、第３弁Ｃは、ノーマルオープンであり、第２弁Ｂは、ノーマルクローズである。除霜運転モードにおいて、冷媒は、除霜管５０５から出口ヘッダー５０２に入り、その後、伝熱管５０３を介して入口ヘッダー５０１に入り、またスロットル機構４００と凝縮器３００とを介して四方弁２００に戻る。冷媒システムの通常運転モード及び除霜モードにおける他の操作について、ここでの詳細な説明を省略する。
【００５１】
図８に示す冷凍システムによると、除霜管５０５が出口ヘッダー５０２に連結されているので、暖房運転時、出口に着霜が多く発生する場合（例えばＲ４１０Ａ、Ｒ２２システム）に対して、除霜管５０５を出口ヘッダー５０２に設けて、上部の着霜を急速に融解することに貢献することができる。
【００５２】
以下、図９を参照しながら、本発明の更に他の実施例による冷凍システムを説明する。
【００５３】
図９に示す実施例において、除霜管５０５の第１端は、出口ヘッダー５０２に接続され、冷媒切り替えユニットは、第１弁Ａと第４弁Ｄとを含み、そのうち第１弁Ａは、四方弁２００の第４弁ポートと蒸発器５００の出口ヘッダー５０２の冷媒出口５０２０との間に接続され、第４弁Ｄは、四方弁２００の第４弁ポートと除霜管５０５の第２端との間に接続されている。
【００５４】
冷凍システムが通常運転モードである時、第１弁Ａが開かれ且つ第４弁Ｄが閉じられ、冷凍システムが除霜運転モードである時、第１弁Ａが閉じられ且つ第４弁Ｄが開かれている。図９に示す実施例と図８に示す実施例との違いは、ノーマルクローズの第２弁Ｂとノーマルオープンの第３弁Ｃとを省略し、また、第２弁Ｂの位置を切断し、第３弁Ｃの位置を管路に代えたことであり、これによってコストと制御の複雑さとを低減した。図９に示す冷凍システムの運転は、図８に示す冷凍システムと類似し、ここでの詳細な説明を省略する。
【００５５】
以下、図１０を参照しながら、本発明の更に他の実施例による冷凍システムを説明する。
【００５６】
図１０に示す実施例において、除霜管５０５の第１端は、出口ヘッダー５０２に接続され、除霜管５０５の第２端は、四方弁２００の第４弁ポートに接続され、冷媒切り替えユニットは、第１弁Ａを含み、第１弁Ａは、四方弁２００の第４弁ポートと蒸発器５００の出口ヘッダー５０２の冷媒出口５０２０との間に接続されている。
【００５７】
冷凍システムが通常運転モードである時、第１弁Ａが開かれ、冷媒は、出口ヘッダー５０２から第１弁Ａを介して四方弁２００に戻り、当然、一部の少量の冷媒は、除霜管５０５から四方弁２００に戻る。
【００５８】
冷凍システムが除霜運転モードである時、第１弁Ａが閉じられ、冷媒は、除霜管５０５から出口ヘッダー５０２に入り、その後、伝熱管５０３、入口ヘッダー５０１、スロットル機構４００及び凝縮器３００を通過して、四方弁２００に戻る。
【００５９】
図１０に示す冷凍システムは、一つの弁しか使用していないので、構造が更に簡単になり、コストが更に低くなり、制御がより容易になる。
【００６０】
上記の説明した実施例において、冷凍システムの蒸発器５００は、一つの除霜管５０５しか備えていない。しかし、説明する必要があるのは、必要に応じていずれの適切な数の除霜管５０５を設けることができ、また、除霜管５０５は、同時に入口ヘッダー５０１と出口ヘッダー５０２とに連結することができる。もちろん、入口ヘッダー５０１と出口ヘッダー５０２とに連結された除霜管５０５は、それぞれの冷媒切り替えユニットを備えることができる。
【００６１】
本明細書の記述において、参照用語である「一つの実施例」、「いくつかの実施例」、「例示」、「具体的例示」、又は「いくつかの例示」などの記述は、当該実施例又は例示に基づいて記述した具体的特徴、構造、材料又は特徴が本発明の少なくとも一つの実施例又は例示に含まれていることを指す。本明細書において、上記用語の概略的記述が必ずしも同一の実施例又は例示を指すとは限らない。また、記述された具体的特徴、構造、材料又は特徴は、いずれの一つ又は複数の実施例又は例示において適宜な方式で結合することができる。
【００６２】
本発明の実施例を図示及び説明したが、本発明の原理及び趣旨から逸脱することなく、これらの実施例に対して様々な変更、修正、置換及び変形を行うことが可能であり、本発明の範囲が特許請求の範囲およびそれと同等のものにより限定されることは、当業者には理解されよう。
【図１】
0005646767.tif 000002
【図２】
0005646767.tif 000003
【図３】
0005646767.tif 000004
【図４】
0005646767.tif 000005
【図５】
0005646767.tif 000006
【図６】
0005646767.tif 000007
【図７】
0005646767.tif 000008
【図８】
0005646767.tif 000009
【図９】
0005646767.tif 000010
【図１０】
0005646767.tif 000011